(57)【要約】【課題】  安価に製造でき、且つ、宣伝効果に優れ、しかも、複数枚のシート状のチラシやパンフレットを一度に配布できるようにする。【解決手段】  本考案の手提げは、宣伝用の印刷シートを収納して配布する際に利用される手提げであって、一枚のシートから形成され、収納される印刷シートを覆うサイズで形成した背面部と、背面部の一側縁から折り曲げられて背面部に対面するように設けられた前面部と、前面部の自由端と組み合うように、背面部の他の一側縁に連設された蓋部とを備えている。【選択図】  図３
0003120491.tif 000002
【実用新案登録請求の範囲】
【請求項１】
宣伝用の印刷シートを収納して配布する際に利用される手提げであって、
該手提げは一枚のシートから形成され、収納される前記印刷シートを覆うサイズで形成した背面部と、
該背面部の一側縁から折り曲げられて前記背面部に対面するように設けられた前面部と、
該前面部の自由端と組み合うように、前記背面部の他の一側縁に連設された蓋部とを備えていることを特徴とする配布用手提げ。
【請求項２】
前記蓋部の自由端に突起させて凸部を形成するとともに、前記前面部の自由端に前記凸部と組み合う凹部を形成したことを特徴とする請求項１に記載の配布用手提げ。
【請求項３】
前記背面部及び／又は前記前面部には、前記印刷シートに記載されたサービスを提供する提供元に係る情報の情報記載欄が設けられていることを特徴とする請求項１または２に記載の配布用手提げ。
【考案の詳細な説明】
【技術分野】
【０００１】
本考案は、一枚のシートを折り曲げて形成される容器に関する。
【背景技術】
【０００２】
一枚のシートを折り曲げて形成される容器は、例えば、石鹸等の日用品の小物の容器、菓子類の容器、小型家電製品の容器等、多岐の分野に亘り広く利用されている。このような容器に関し、実用新案登録２５５３１３３号公報に開示の集積販売用の手提げカートンは、縦の折り目線を介して、それぞれ略４辺形の左側面板、後側面板、右側面板、前側面板、左糊代片、楕円形の手提げ孔を設けた中手提げ板、右糊代片、を順に連設した板紙製のカートンブランクから形成され、保管中や使用後の廃棄時などにおいては、折り畳めるので嵩ばらないこと、使用時に組立てが簡単であること、強度的にもデザイン的にも優れていることが記載されている。また、実用新案登録３０２８２２６号公報には、紙器が開示されており、四辺形状の底部の対向する一方の両側縁から起立する三角形状の側面部を設け、底部の対向する他方の一側縁から側面部の傾斜に沿って起立する四辺形状の後面部を設け、後面部と対向する底部の他の一側縁から側面部の傾斜に沿って蓋部を設けている。この容器は、組み立てた状態で三角柱となることから、デザイン的に斬新さを有することが記載されている。
【特許文献１】実用新案登録２５５３１３３号公報
【特許文献２】実用新案登録３０２８２２６号公報
【考案の開示】
【考案が解決しようとする課題】
【０００３】
宣伝用のチラシやパンフレット等の印刷物を不特定多数の人に配布する際に、一枚だけでは情報量に乏しく、小冊子にまとめた場合は高価なものになる。また、複数枚のシート状のチラシやパンフレットを、一度に配布しようとする場合には、紙袋やプラスチック製ファイリングケースを利用することになるが、配布コストに見合う宣伝効果が得られないという問題点を有している。本考案は上記問題点に鑑みてなされたものであり、その目的とするところは、安価に製造でき、且つ、宣伝効果に優れ、しかも、複数枚のシート状のチラシやパンフレットを一度に配布できるようにした配布用の手提げを提供することである。
【課題を解決するための手段】
【０００４】
本考案の配布用手提げは、宣伝用の印刷シートを収納して配布する際に利用される手提げであって、該手提げは一枚のシートから形成され、収納される前記印刷シートを覆うサイズで形成した背面部と、該背面部の一側縁から折り曲げられて前記背面部に対面するように設けられた前面部と、該前面部の自由端と組み合うように、前記背面部の他の一側縁に連設された蓋部とを備えていることを特徴とする。そして請求項２の考案は、前記蓋部の自由端に突起させて凸部を形成するとともに、前記前面部の自由端に前記凸部と組み合う凹部を形成したことを特徴とする。請求項３の考案は、前記背面部及び／又は前記前面部には、前記印刷シートに記載されたサービスを提供する提供元に係る情報の情報記載欄が設けられていることを特徴とする。
【考案の効果】
【０００５】
本考案の配布用手提げは、一枚のシートに背面部、前面部、蓋部を折り曲げて形成するだけで、複数枚のシート状のチラシやパンフレット（印刷シート）を一度に配布できるものになるので、宣伝に係るコストが軽減される。
蓋部の自由端に突起させた凸部と、前面部の自由端に設けた凹部を組み合わせるようにしたので、蓋部の凸部を前面部の凹部から内側に差し込み、蓋部および前面部を容易に組み合わせ、印刷シートを収納することができる。そして、このように蓋部と前面部とを組み合わせた場合には、蓋部の自由端の縁と前面部の自由端の縁とが、組み合わされた状態で、一直線になるので、見栄えが良いものとなる。
サービスを提供する提供元に係る情報が背面部や前面部に記載されていた場合には、配布用の手提げを持ち歩く者が、これを見る者に、少なくとも、サービスを提供する提供元に係る情報が伝えられることになり、広範囲に及ぶ宣伝効果が期待できる。
【考案を実施するための最良の形態】
【０００６】
図１は本考案の配布用手提げを示した展開図である。また、図２は使用の状態で配布用手提げを正面図で示し、図３はその内部の構造を示したものである。
本考案の配布用手提げ１０は、図１に示すように一枚の厚紙を折り曲げ線１ａ、１ｂから折り曲げて、それぞれ、蓋部３、背面部１、前面部２を形成したものである。これにより、蓋部３は折り曲げ線１ａを介して背面部１の上縁に連設されており、前面部２は折り曲げ線１ｂを介して背面部１の下縁に連設されたものとなっている。そして、蓋部３は、その上縁の中央部を所定幅突起させることにより形成した係合片（凸部）３ａを有するとともに、楕円形状の手提げ孔５を有している。
【０００７】
背面部１は、収納される宣伝用のチラシやパンフレット等の印刷物（印刷シート）を覆うサイズで四角形状に形成され、その上部には、折り曲げ線１ａを対称軸として、手提げ孔５と対称に、同様な楕円形状の手提げ孔５ａを有している。また、前面部２は、その下縁の中央部を凹ませることにより、両側に端部片２ａを形成したものであり、背面部１の下縁から折り曲げ線１ｂで内側に折り曲げられることにより背面部１に対面するように形成されている。そして、背面部１および前面部２の左右両側には、糊付けされる貼り付け部４が設けられている。
【０００８】
配布用手提げ１０は、それぞれ折り曲げ線１ａ、１ｂから蓋部３および前面部２を内側に折り曲げるとともに、前面部２の端部片２ａの上から蓋部３を被せ、蓋部３の係合片３ａを前面部２の内側に挿入することにより、蓋部３および前面部２を組み合わせ、さらに、背面部１および前面部２の重ね合わされた貼り付け部４を貼り合わせて製作される。これにより、配布用手提げ１０の表面は、図２および図３に示すように、ほぼ一直線のラインが視認される形態となり、デザイン的にも優れたものとなる。因みに、この一直線のラインは、中央部が前面部２の縁部２ｂであり、両側部が蓋部３の縁部３ｂである。
【０００９】
以上、説明したように、配布用手提げ１０には、宣伝用のチラシやパンフレット等の印刷物Ａが、複数枚収納できるものになる。そして、上述した一直線のラインを境に、蓋部３と前面部２に描かれたそれぞれのデザインを合致させるようにすることにより、配布用手提げ１０の表面で統一されたデザインを形成させ、宣伝効果を向上させることができる。
【００１０】
図４および図５は、配布用手提げ１０の第２の実施例を示したものであり、図４は展開図であり、図５は斜視図である。
これら、図４および図５に示すように、この実施例における配布用手提げ１０は、上述した手提げ１０に加えて底部８と側壁部９とをさらに備えている。底部８は、背面部１と前面部２との間に設けられ、山折り線８ａの左右に設けられた谷折り線（８ｂ、８ｂ）で囲まれた範囲で形成される。側壁部９は、前面部２の両側縁に連設させて側壁部９を延出させることにより形成され、側壁部９の外側に設けられる糊付け片１１は、谷折り線（９ｂ、９ｂ）と山折り線９ａを介して連設される。
【００１１】
この配布用手提げ１０を製作する際には、先ず、蓋部３および前面部２を内側に折り曲げるとともに、前面部２の端部片２ａの上から蓋部３を被せ、蓋部３の係合片３ａを前面部２の内側に挿入し、蓋部３および前面部２を組み合わせ、糊付け片１１を背面部１の左右端部（貼り付け部４）に貼り付ける。これにより、配布用手提げ１０は、より多くの宣伝用チラシやパンフレット等の印刷物を収納することができるものになる。
【００１２】
図６および図７は、配布用手提げ１０の第３の実施例を示したものであり、図６は展開図であり、図７は正面図である。これら、図６および図７に示すように、この実施例における配布用手提げ１０は、第１の実施例で示した配布用手提げ１０を縦型にしたものである。この形態の配布用手提げ１０の展開図は、図１に示した外形と同一であるが、楕円形状の手提げ孔（５ｂ、５ｃ）を、それぞれ、背面部１および前面部２の右側部に設けたものであり、その方向は縦方向に長い楕円形状となっている。これにより、これを組み立てた際には、前面部２の縁部２ｂと蓋部３の縁部３ｂとで示される一直線のラインが縦になり、デザイン的にも優れたものとなる。
【図面の簡単な説明】
【００１３】
【図１】本考案の配布用手提げを示した展開図である。
【図２】使用の状態で配布用手提げを示した正面図である。
【図３】内部の構造を示した配布用手提げの説明図である。
【図４】本考案の配布用手提げを示した展開図である。
【図５】使用の状態で配布用手提げを示した斜視図である。
【図６】本考案の配布用手提げを示した展開図である。
【図７】使用の状態で配布用手提げを示した正面図である。
【符号の説明】
【００１４】
１  背面部
２  前面部
２ａ  端部片
３  蓋部
３ａ  係合片
４  貼り付け部
５  手提げ孔
８  底部
９  側壁部
１０  配布用手提げ
１１  糊付け片
【図１】
0003120491.tif 000003
【図２】
0003120491.tif 000004
【図３】
0003120491.tif 000005
【図４】
0003120491.tif 000006
【図５】
0003120491.tif 000007
【図６】
0003120491.tif 000008
【図７】
0003120491.tif 000009